(57)【要約】【課題】携帯端末に実装されているアドレス帳アプリケーションにより、個人データをキーとして静的情報および動作履歴等の動的情報を一括閲覧できる携帯情報端末を提供する。【解決手段】アクティビティ履歴において、１行目は、2011年10月9日に当該閲覧対象者と千駄ヶ谷で赤外線通信によりデータ通信を行った旨の動作履歴を示している。データ通信場所の「千駄ヶ谷」には、当該位置の地図情報へアクセスするためのリンク先情報が設定されている。２行目は、2011年10月1日に当該閲覧対象者の写真をアドレス帳に登録した旨の動作履歴を示している。３行目は、2011年9月2日に当該閲覧対象者からの通話を留守録メモ再生した旨の行動履歴を示している。４行目は、2011年9月1日に当該閲覧対象者と５分間の通話を行い、１００円の通話料が発生した旨の動作履歴を示している。【選択図】図３
2014150303.tif 000002
【特許請求の範囲】
【請求項１】
アドレス情報を登録者ごとに管理するアドレス帳機能を含む複数の機能を備えた携帯情報端末において、
各登録者に対する各機能の動作履歴を蓄積するデータベースと、
前記データベースから閲覧対象の登録者に対する各機能の動作履歴を抽出する手段と、
複数の異なる機能の動作履歴を時系列で一覧表示する手段とを具備したことを特徴とする携帯情報端末。
【請求項２】
前記各機能がアプリケーションにより発揮されることを特徴とする請求項１に記載の携帯情報端末。
【請求項３】
電子メールを送受信するメールアプリケーションと、
電子メールの送受信日時を送受信相手と共に蓄積するメールデータベースとを含むことを特徴とする請求項２に記載の携帯情報端末。
【請求項４】
電話の通話アプリケーションと、
電話による通話日時を通話相手と共に蓄積する通話データベースとを含むことを特徴とする請求項２に記載の携帯情報端末。
【請求項５】
近距離無線通信によりデータ通信を行うデータ通信アプリケーションと、
データ通信の時刻を通信相手と共に蓄積するデータ通信データベースとを含むことを特徴とする請求項２に記載の携帯情報端末。
【請求項６】
留守録メッセージを録音する留守録アプリケーションと、
前記留守録メッセージの録音日時、録音時刻をメッセージの録音者と共に蓄積する留守録データベースとを含むことを特徴とする請求項２に記載の携帯情報端末。
【請求項７】
カメラ画像を生成するカメラアプリケーションと、
前記カメラ画像の人物および撮影日時を蓄積するカメラデータベースとを含むことを特徴とする請求項２に記載の携帯情報端末。
【請求項８】
現在位置を測位する測位アプリケーションと、
各機能が動作したときの現在位置を当該機能と紐付けて蓄積する測位データベースとを含むことを特徴とする請求項２ないし７のいずれかに記載の携帯情報端末。
【請求項９】
各機能の動作履歴には、当該動作に関連する情報へアクセスするためのリンク先情報が設定されていることを特徴とする請求項１ないし８のいずれかに記載の携帯情報端末。
【発明の詳細な説明】
【技術分野】
【０００１】
本発明は、携帯情報端末に係り、特に、アドレス帳に登録されている各登録者のアドレス情報と当該登録者に対して動作した各機能の履歴とを関連付けて管理し、登録者ごとに一覧表示する携帯情報端末に関する。
【背景技術】
【０００２】
携帯電話等の携帯情報端末に実装されるアドレス帳は、電話番号、電子メールアドレス、住所、写真といった静的なアドレス情報を保存し、アドレス帳としてこれらデータを宛名ごとに閲覧表示するほか、これを必要とする通話アプリケーション、メールアプリケーションあるいは画像プレーヤアプリケーションなどの応答プログラムからの要求に対してデータを提供し、各アプリケーション側でデータの表示を行っていた。
【０００３】
特許文献１には、電話先または電子メールの宛先を、その通話時刻や送信時刻と関連づけて記憶しておき、ある時刻に携帯電話をかけようとした場合に、その時刻帯によく使う連絡先をアドレス帳から速やかに探すことができるようにした携帯電話が開示されている。
【先行技術文献】
【特許文献】
【０００４】
【特許文献１】特開2007-088527号公報
【発明の概要】
【発明が解決しようとする課題】
【０００５】
アドレス情報を利用した動作履歴、例えば電子メールの送受信、通話の発着信、留守メモなどは各アプリケーション側で管理され、主に日時降順で閲覧できるものの、アドレス帳アプリケーションにおいては一覧表示できなかった。また、アドレス帳内のアドレス情報の登録・変更等の動作履歴については、保持すらされていなかった。
【０００６】
さらに、アドレス帳アプリケーションは、保存される各個人のアドレス情報として、主に名前、電話番号、電子メールアドレスを閲覧表示するのみで、それに関する一切の動作履歴をまとめて閲覧するといったことができない。この動作履歴には、未読メールや未確認留守録メモ等も含まれ、これらは同一個人データであればその内容に関連性が想定されるものの、従来はアプリケーション毎にしか閲覧できなかった。
【０００７】
本発明の目的は、上記した従来技術の課題を解決し、携帯情報端末に実装されているアドレス帳アプリケーションにより、個人データをキーとして、静的情報と共に動作履歴等の動的情報を一覧表示できる携帯情報端末を提供することにある。
【課題を解決するための手段】
【０００８】
上記の目的を達成するために、本発明は、アドレス情報を登録者ごとに管理するアドレス帳機能を含む複数の機能を備えた携帯情報端末において、以下のような手段を講じた点に特徴がある。
【０００９】
(1)各登録者に対する各機能の動作履歴を蓄積するデータベースと、データベースから閲覧対象の登録者に対する各機能の動作履歴を抽出する手段と、複数の異なる機能の動作履歴を時系列で一覧表示する手段とを具備した。
【００１０】
(2)各機能が、電子メールアプリケーション、通話アプリケーション、データ通信アプリケーション、留守録アプリケーション、カメラアプリケーションあるいは測位アプリケーションなどの応用ソフトにより発揮されるようにした。
【００１１】
(3)各機能の動作履歴には、当該動作に関連する情報へアクセスするためのリンク先情報が設定されるようにした。
【発明の効果】
【００１２】
本発明によれば、以下のような効果が達成される。
【００１３】
(1)アドレス帳への登録者に対してアプリケーションが動作すると、各アプリケーションの動作内容が日時情報と共に履歴情報として登録され、宛先等のアドレス情報と共に時系列で一覧表示されるので、各登録者に対する端末ユーザの動作履歴をアプリケーションに同異にかかわらず一括閲覧できるようになる。
【００１４】
(2)各登録者に対する行動履歴が時系列で一覧表示されるので、メールや通話等の動作履歴が少ないために端末ユーザの記憶に乏しくなった登録者に関する記憶を簡単に想起させることが可能になる。
【００１５】
(3)動作履歴の一覧表示画面では、各登録者に関して各アプリケーションで扱われた情報へのリンク先情報が設定されるので、各情報へ簡単にアクセスできるようになる。
【図面の簡単な説明】
【００１６】
【図１】本発明の一実施形態に係る携帯情報端末MNの機能ブロック図である。
【図２】本発明を適用した携帯情報端末の一実施形態の動作を示したフローチャートである。
【図３】アドレス帳の表示例を示した図である。
【発明を実施するための形態】
【００１７】
以下、図面を参照して本発明の実施の形態について詳細に説明する。図１は、本発明の一実施形態に係る携帯情報端末MN (Mobile node) の主要部の構成を示した機能ブロック図であり、ここでは、本発明の説明に不要な構成は図示が省略されている。
【００１８】
CPU１は、ROM２に記憶された基本プログラムおよび制御データに基づいて携帯情報端末MNの基本動作を制御する。RAM３は、CPU３にワークエリアを提供する。送信部４および受信部５は、通信インターフェース６と協働して音声通話や電子メールの送受信を制御する。
【００１９】
フラッシュメモリ７には、アドレス帳アプリケーション７１ａおよびそのデータベース(DB)７１ｂ，メールアプリケーション７２ａおよびそのDB７２ｂ，通話アプリケーション７３ａおよびそのDB７３ｂ，データ通信アプリケーション７４ａおよびそのDB７４ｂ，留守録アプリケーション７５ａおよびそのDB７５ｂ、カメラアプリケーション７６ａおよびそのDB７６ｂ、ならびに測位アプリケーション７７ａおよびそのDB７７ｂを含む、各種の応答ソフトおよびそのDBが記憶されている。
【００２０】
前記アドレス帳DB７１ｂには、アドレス帳アプリケーション７１ａの新規登録メニューで受け付けられたアドレス情報およびその登録日時が蓄積される。メールDB７２ｂには、メールアプリケーション７２ａにより送受されたメールおよびその送受信時刻が宛先または送信元ごとに蓄積され、受信メールは既読と未読とに区別される。通話DB７３ｂには、通話アプリケーション７３ａにより通話した相手ごとに、通話日時や通話料金が蓄積される。データ通信DB７４ｂには、データ通信アプリケーション７４ａにより通信した相手ごとに通信日時が蓄積される。
【００２１】
留守録DB７５ｂには、留守録アプリケーション７５ａにより留守録された相手ごとに、留守録時間、留守録日時および録音データの蓄積場所に関するリング先情報が蓄積される。カメラDB７６ｂには、カメラアプリケーション７６ａにより撮影された被写体人物ごとに、撮影時刻およびカメラ画像の蓄積場所に関するリング先情報が蓄積される。測位DB７７ｂには、データ通信やアドレス帳への新規登録などのイベント時に測位アプリケーション７７ａにより測位された現在位置が登録される。
【００２２】
入力インターフェース８にはキーボード９が接続されている。表示コントローラ１０にはLCDディスプレイ１１が接続されている。通話コントローラ１２にはマイク１３およびスピーカ１４が接続され、前記通話アプリケーション７３ａにより制御される。カメラ１５は、前記カメラアプリケーション７６ａにより制御されてカメラ画像を生成する。赤外線通信部１６は、前記データ通信アプリケーション７４ａにより制御されてデータ通信を行う。GPS１７は、前記測位アプリケーション７７ａにより制御されて現在位置を計算する。時計１８は、各アプリケーションからの時刻要求に対して現在時刻を応答する。
【００２３】
次いで、フローチャートを参照して本発明の動作について説明する。図２は、本発明を適用した携帯情報端末MNの一実施形態の動作を示したフローチャートであり、特に、前記アドレス帳アプリケーション７１ａの動作を示している。
【００２４】
アドレス帳アプリケーション７１ａが起動されると、ステップＳ１では初期画面が表示される。この初期画面では、アドレス帳への新規登録や既登録情報の閲覧等を選択できる。アドレス情報の新規登録が選択されるとステップＳ２へ進み、新規レコードが確保されて新規登録画面が表示される。ステップＳ３において、新規登録画面に氏名、電話番号、メールアドレス、住所などのアドレス情報がキーボード９から入力されると、ステップＳ４では、これらのアドレス情報が新規レコードに、前記時計１８により計時されている現在日時共に記憶される。ステップＳ５では、前記測位アプリケーション７７ａにより現在位置が測位され、今回のイベント（ここでは、アドレス情報の新規登録）と紐付けられて測位DB７７ｂに蓄積される。
【００２５】
これに対して、前記ステップＳ１の初期画面において、登録者の一人を指定して既登録情報の閲覧が要求されるとステップＳ６へ進み、前記指定された登録者が識別される。ステップＳ７では、前記指定された登録者のアドレス情報が前記アドレス帳DB７１ｂから抽出される。ステップＳ８では、前記メールDB７２ｂ、通話DB７３ｂ、データ通信DB７４ｂ、留守録DB７５ｂ、カメラDB７６ｂおよび測位DB７７ｂから、当該登録者に関する動作履歴情報が抽出される。
【００２６】
本実施形態では、前記メールDB７２ｂからは、今回の閲覧対象者を送信元とする未読の受信メールについて、その「件名」および受信日時が抽出される。通話DB７３ｂからは、前記指定された登録者との通話日時、通話時間および通話料金が抽出される。なお、通話件数が多い場合には、直近の所定件数分の通話履歴のみが抽出されるようにしても良い。
【００２７】
データ通信DB７４ｂからは、前記登録者とのデータ通信日時が抽出される。留守録DB７５ｂからは、前記登録者による留守録日時および留守録時間が抽出される。カメラDB７６ｂからは、前記登録者を撮影した日時およびカメラ画像のリンク先情報が取得される。測位DB７７ｂからは、前記データ通信が行われた際に測位された現在位置（データ通信場所）およびアドレス情報が新規登録された際に測位された現在位置（新規登録場所）などが取得される。
【００２８】
ステップＳ９では、前記抽出された複数の動作履歴情報が、それぞれの時刻情報であるメール受信日時、通話日時、データ通信日時および撮影日時に基づいて時系列でソートされる。ステップＳ１０では、前記アドレス情報および各動作履歴情報の時系列がLCD１１上に一覧表示される。
【００２９】
図３は、閲覧対象の登録者として「花田花子」を指定してアドレス帳を閲覧した際の表示例を示した図であり、上部には、従来のアドレス帳と同様に、登録者のアドレス情報として、「顔写真」、「名前」、「電話番号」、「メールアドレス」および「住所」が一覧表示され、その下方の「アクティビティの履歴」欄には、当該登録者に対する端末ユーザの動作履歴が時系列（ここでは、降順）で一覧表示されている。
【００３０】
前記アクティビティ履歴において、１行目は、2011年10月9日に当該登録者と千駄ヶ谷で赤外線通信によりデータ通信を行った旨の動作履歴を示している。なお、データ通信場所の「千駄ヶ谷」には、当該位置の地図情報へアクセスするためのリンク先情報が設定されており、当該リンク先情報へアクセスすることで千駄ヶ谷近傍の地図を表示できる。
【００３１】
２行目は、2011年10月1日に当該登録者の写真をアドレス帳に登録した旨の動作履歴を示している。３行目は、2011年9月2日に当該登録者からの通話を留守録メモに録音された旨の動作履歴を示している。４行目は、2011年9月1日に当該登録者と５分間の通話を行い、１００円の通話料が発生した旨の動作履歴を示している。
【００３２】
５−７行目は、2011年8月10日の19時に受信した件名「Re:昨日はどうも」の未読メールが存在し、18時に前記未読メールに対応した件名「昨日はどうも」のメールを送信した旨の動作履歴を示している。なお、各件名には当該メールへアクセスするためのリンク先情報が設定されている。
【００３３】
８行目は、2011年8月9日に当該登録者とスタバ（登録商標）飯田橋店で当該登録者のアドレス情報をアドレス帳に新規登録した旨の行動履歴を示している。なお、登録場所の「スタバ飯田橋店」には、当該位置の地図情報へアクセスするためのリンク先情報が設定されている。最終行は、当該登録者の誕生日が1980年4月4日である旨の情報である。
【００３４】
本実施形態によれば、アドレス帳への登録者に対してアプリケーションが動作すると、各アプリケーションの動作内容が、その日時と共に動作履歴として登録され、アドレス情報と共に各アプリケーションの動作履歴が登録者ごとに時系列で一覧表示されるので、各登録者に対する動作履歴をアプリケーションに同異にかかわらず一元管理できるようになる。
【００３５】
また、本実施形態では、前記一覧表示の画面において、各登録者に関して各アプリケーションで扱われた情報へのリンク先情報が設定されるので、当該登録者に関連した情報へ簡単にアクセスできるようになる。
【００３６】
なお、上記の実施形態では、GPSにより測位される位置情報がデータ通信およびアドレス情報の新規登録の各イベントを契機に登録されて一覧表示されるものとして説明したが、本発明はこれのみに限定されるものではなく、メール送信や写真撮影等の他のイベントを契機に登録されるようにしても良い。また、一覧表示される動作履歴も上記に限定されるものではなく、例えば電子メールの送受信履歴であれば、全ての送受信履歴が表示されるようにしても良い。
【００３７】
また、上記の実施形態では、各機能がアプリケーションにより実現されるものとして説明したが、本発明はこれのみに限定されるものではなく、ハードウェアにより実現される機能であっても良い。
【符号の説明】
【００３８】
７…フラッシュメモリ，７１ａ…アドレス帳アプリケーション，７１ｂ…アドレス帳DB，７２ａ…メールアプリケーション，７２ｂ…メールDB，７３ａ…通話アプリケーション，７３ｂ…通話DB，７４ａ…データ通信アプリケーション，７４ｂ…データ通信DB，７５ａ…留守録アプリケーション，７５ｂ…留守録DB，７６ａ…カメラアプリケーション，７６ｂ…カメラDB，７７ａ…測位アプリケーション，７７ｂ…測位DB
【図１】
2014150303.tif 000003
【図２】
2014150303.tif 000004
【図３】
2014150303.tif 000005